(57)【要約】【課題】      光回折構造によってより効果的な装飾効果が画像に設けられた画像表示体を提供する。【解決手段】  基材１に設けられた画像２上に、網点状の光回折構造１０によって構成される光回折構造部３が形成された画像表示体Ａであって、光回折構造部を構成する複数の網点１０のそれぞれは、一辺の長さが４００μｍ以下の全て同じ大きさの正方形領域１１に収まり、かつ、各網点１０を正方形領域１１に収めた場合、各正方形領域は互いに対角線方向１２に等間隔に配置され、隣り合う正方形領域１１、１１の距離ｄが全て２２０μｍ以下になるように形成されている。【選択図】    図２
2006248157.tif 000002
【特許請求の範囲】
【請求項１】
基材に設けられた画像上に、網点状の光回折構造によって構成される光回折構造部が形成された画像表示体であって、
前記光回折構造部を構成する複数の網点のそれぞれは、一辺の長さが４００μｍ以下の互いに等しい大きさの正方形領域に収まり、かつ、前記各網点を前記正方形領域に収めた場合、前記複数の正方形領域のそれぞれは互いに対角線方向に等間隔に配置され、前記対角線方向において隣り合う一方の前記正方形領域の角と他方の前記正方形領域の角との距離が２２０μｍ以下になるように、前記各網点が形成されている、ことを特徴とする画像表示体。
【請求項２】
前記光回折構造部の網点面積率が４０％以下であることを特徴とする請求項１に記載の画像表示体。
【請求項３】
前記正方形領域の一辺の長さが１００μｍ〜２００μｍであることを特徴とする請求項１又は２に記載の画像表示体。
【請求項４】
前記隣り合う正方形領域の距離が５０μｍ〜１５０μｍであることを特徴とする請求項１〜３のいずれか１項に記載の画像表示体。
【請求項５】
光回折構造が基材シート上に積層された転写シートを使用して、網点状の前記光回折構造によって構成される光回折構造部を所定の画像上に形成する画像形成方法であって、
前記光回折構造部を構成する複数の網点のそれぞれは、一辺４００μｍ以下の互いに等しい大きさの正方形領域に収まり、前記各網点を前記正方形領域に収めた場合に前記複数の正方形領域のそれぞれは互いに対角線方向に等間隔に配置され、前記対角線方向において隣り合う一方の前記正方形領域の角と他方の前記正方形領域の角との距離が２２０μｍ以下になるように、前記各網点を形成する、ことを特徴とする画像形成方法。
【発明の詳細な説明】
【技術分野】
【０００１】
本発明は、画像上に光回折構造が網点状に形成された画像表示体及びその画像表示体を形成する画像形成方法に関する。
【背景技術】
【０００２】
光回折構造が積層された転写箔から、その光回折構造を所定の画像上に網点状に転写することにより光回折構造部を形成し、回折光による装飾効果を画像に付加する方法は、既に広く知られている（例えば特許文献１、特許文献２及び特許文献３参照）。
【０００３】
【特許文献１】特開平８−１２３２９９号公報
【特許文献２】特開平１１−２２７３６８号公報
【特許文献３】特開２００４−１０１８３４号公報
【発明の開示】
【発明が解決しようとする課題】
【０００４】
しかし、従来の転写方法では、光回折構造部の回折光による装飾効果が、不自然になることが多く、十分にその効果が発揮されていない。
【０００５】
そこで、本発明は、光回折構造によってより効果的な装飾効果が画像に設けられた画像表示体及び画像形成方法を提供することを目的とする。
【課題を解決するための手段】
【０００６】
本発明は、以下の方法により上述した課題を解決する。なお、本発明の理解を容易にするために添付図面の参照符号を括弧書きにて付記するが、それにより本発明が図示の形態に限定されるものではない。
【０００７】
本発明の画像表示体（Ａ）は、基材（１）に設けられた画像（２）上に、網点状の光回折構造（１０…１０）によって構成される光回折構造部（３）が形成された画像表示体であって、前記光回折構造部を構成する複数の網点のそれぞれは、一辺の長さが４００μｍ以下の互いに等しい大きさの正方形領域（１１）に収まり、かつ、前記各網点を前記正方形領域に収めた場合、前記複数の正方形領域のそれぞれは互いに対角線方向（１２）に等間隔に配置され、前記対角線方向において隣り合う一方の前記正方形領域の角（１１ａ）と他方の前記正方形領域の角（１１ｂ）との距離（ｄ）が２２０μｍ以下になるように、前記各網点が形成されている、ことにより上記課題を解決する。
【０００８】
光回折構造部を構成する各網点が本発明のように規則的に配置されるように形成された場合、画像に対して光回折構造をより自然なラメのような装飾効果として付加できることを発明者はつきとめた。これにより、普通のインクによって印刷された画像に対してきらきら光るラメのような効果を容易に装飾できる。
【０００９】
網点の形状は一辺が４００μｍ以下の正方形領域に収まる大きさであれば、正方形である必要はなく、例えば、円、楕円、多角形、不定形等でもよい。本発明の光回折構造には、一定のパターンで構成される回折格子と所定の像を形成する干渉縞で構成されるホログラムとを含む。
【００１０】
また、本発明の画像表示体において、前記光回折構造部の網点面積率が４０％以下であってもよい。このような網点面積率の場合、画像に対してより自然なきらきら光るラメのような効果が付与できる。前記正方形領域の一辺の長さが１００μｍ〜２００μｍまたは／及び前記隣り合う正方形領域の距離が５０μｍ〜１５０μｍであれば、より一層効果的な装飾効果が得られる。
【００１１】
本発明の画像形成方法は、光回折構造（２３）が基材シート（２１）上に積層された転写シート（２０）を使用して、網点状の前記光回折構造（１０…１０）によって構成される光回折構造部（３）を所定の画像上に形成する画像形成方法であって、前記光回折構造部を構成する複数の網点のそれぞれは、一辺４００μｍ以下の互いに等しい大きさの正方形領域（１１）に収まり、前記各網点を前記正方形領域に収めた場合に前記複数の正方形領域のそれぞれは互いに対角線方向（１２）に等間隔に配置され、前記対角線方向において隣り合う一方の前記正方形領域の角（１１ａ）と他方の前記正方形領域の角（１１ｂ）との距離が２２０μｍ以下になるように、前記各網点を形成する、ことにより上記の課題を解決する。これにより、本発明の画像表示体を得ることができる。
【発明の効果】
【００１２】
以上のように本発明によれば、各網点が画像上に配置される態様を、大きさ及び距離によって特定することにより、光回折構造によってより効果的な装飾効果が画像に設けられた画像表示体等を提供することができる。
【発明を実施するための最良の形態】
【００１３】
図１は、本発明の画像表示体Ａの一例を示す図である。画像表示体Ａは、所定の基材１に設けられた画像２上に、網点状の光回折構造で構成される光回折構造部３が形成されている。図２に示すように、光回折構造部３を構成する複数の網点１０…１０のそれぞれは、全て等しい大きさの正方形領域１１…１１に収めることができ、その複数の正方形領域１１…１１は互いに対角線方向１２…１２に等間隔に配置された状態になるように形成されている。
【００１４】
正方形領域１１の一辺の長さは４００μ以下であればよいが、１００〜２００μｍであることが望ましい。また、隣り合う正方形領域１１、１１において、一方の正方形領域１１の角１１ａと他方の正方形領域１１の角１１ｂとの距離ｄは全て等しく２２０μｍ以下であればよいが、５０〜１５０μｍであることが望ましい。更に、画像２の面積に対する網点１０…１０の網点面積率は４０％以下であることが望ましい。
【００１５】
基材１の素材や画像２の形成方法は画像表示体Ａの使用用途によって適宜決めてよい。例えば、画像表示体Ａとしては、クレジットカード、ＩＤカード、及びプリペイドカード等のカード類、商品券、小切手、手形、株券、入場券、及び各種証明書等の紙券類等、基材１上に画像２を有するものであればよい。また、画像２としては、各種印刷によって形成されたものや写真等でもよい。
【００１６】
次に、図３に示す転写シート２０を使用して、画像２に光回折構造部３を形成する方法について説明する。転写シート２０は、基材シート２１上に剥離層２２、光回折構造として回折格子の凹凸パターンが形成された光回折構造層２３、反射層２４及び接着層２５が積層され、更に基材シート２１の裏面には耐熱保護層２６が形成されている。光回折構造層２３のレリーフ面へ反射層２４を設けることにより、レリーフの回折効果を高めることができる。反射層２４は光の反射率の高い金属で構成されることが望ましく、反射層２４を構成する金属の光の反射率が高い程、より明るい回折光が得られる。具体的には、Ｃｒ、Ｎｉ、Ａｇ、Ａｕ、Ａｌ等の金属、及びその酸化物、硫化物、窒化物等の薄膜を単独で、又は複数を組み合わせたもので構成されてもよい。上記の光反射性の金属薄膜は、反射効果を十分得られるように１０〜２０００ｎｍ程度、好ましくは２０〜１０００ｎｍの厚さを有する事が望ましい。
【００１７】
熱転写プリンタによって転写シート２０の光回折構造層２３を、図４（ａ）に示すような基材１に画像２が設けられた被転写体３０に転写する。熱転写プリンタのサーマルヘッドの動作を制御することによって、光回折構造層２３によって網点１０…１０を上述した態様になるように画像２上に形成すればよい。
【００１８】
サーマルヘッドの動作の制御方法は、熱転写プリンタによって転写シートから光回折構造を網点状に転写する従来既知の方法によって行えばよい。図４（ｂ）は基材１に設けられた画像２上に光回折構造層２３が網点状１０…１０に転写されて光回折構造部３が形成されたようすを示す図である。以上の形成方法により、画像２上に光回折構造部３が形成され、画像２に回折光による自然なラメ効果を付与することができる。
【００１９】
本発明は上述した形態に限らず、種々の形態にて実施してよい。例えば、図２に示す網点１０の形状は円形であるが、網点１０はどのような形状でもよく、例えば楕円や多角形や不定形等でもよい。画像２は図１に示すような星形に限らずいずれの形状を有していてもよい。また、一色でなく複数の色で着色されてもよいし、基材１の一部でなく基材１の全体に設けられていてもよい。
【００２０】
転写シート２０は基材シート２１や光回折構造層２３の機能によっては剥離層２２は不要である。また、画像表示体Ａの使用用途によっては、剥離層２２以外の層が積層されていてもよい。例えば、転写シート２０に金色などの着色インクで構成される特定色層を設け、光回折構造層２３と共に光回折構造部を形成してもよい。
【図面の簡単な説明】
【００２１】
【図１】本発明における画像表示体の一例を示す図。
【図２】図１に示す光回折構造部の一部の拡大図。
【図３】本発明における転写シートの一例の断面を示す図。
【図４】（ａ）は図１に示す画像表示体を形成するための被転写体を示す図であり、（ｂ）は光回折構造部が形成された画像表示体の一部を拡大した断面図。
【符号の説明】
【００２２】
Ａ                    画像表示体
１                    基材
２                    画像
３                    光回折構造部
１０                  網点
１１                  正方形領域
２０                  転写シート
【図１】
2006248157.tif 000003
【図２】
2006248157.tif 000004
【図３】
2006248157.tif 000005
【図４】
2006248157.tif 000006